(57)【要約】【課題】本発明は、ガードルにおいて、「局部的当て布」方式による、限定された局部的な体型補整の欠陥を解決し、下半身部（下腹部・ヒップ・大腿部等）の全体的な体型補整の効果を現出することを目標とする。【解決手段】本発明ガードルは、バンデージ〈ｂａｎｄａｇｅ〉方式パッチ〈ｐａｔｃｈ〉を、ガードルの左右両筒形部分本体に、裏側または表側から、略Ｓ字型に縫合し、下半身部の下垂贅肉を螺旋状に巻き上げる効果により、下半身部の全体的な体型補整を実現するものである。【選択図】  図６
2004169255.tif 000002
【特許請求の範囲】
【請求項１】
ガードルの裏側部分または表側部分で、正面・背面・左右両側部分に各バンデージ〈ｂａｎｄａｇｅ〉方式パッチ〈ｐａｔｃｈ〉〔以下、バンデージ・パッチと略称する〕を縫合し（図３・図４）、同パッチは、左右両大腿部の内側から始まり（２ａ・２ｂ）、両大腿部外側へ巻き上がり、更に、腹部前面中央部方向へ巻き上がり、同腹部前面中央部で、左右両パッチが交叉した後、更に、左右脇腹部分まで巻き上がり、そして背面中央部で、左右両パッチが結合する状態となっているガードル（図６乃至図１０）。
【請求項２】
請求項１記載のガードルにおいて、同ガードル本体生地およびバンデージ・パッチの生地が、それぞれ伸縮性のある生地（例えば、パワーネット・その他）を使用して、大腿部・腹部・ヒップの各贅肉巻き上げの効果を助長させることを特徴とするガードル。
【請求項３】
請求項１記載のガードルにおいて、左右両側大腿部・前面腹部・ヒップ周囲部等に縫合する、バンデージ・パッチの長さ・幅員・形状・使用枚数は、贅肉の巻き上げ効果を促進させる目的に合わせて、任意の寸法・形状・使用枚数を採用するが（図１１）、ヒップの下部は、下垂贅肉を下支えする効果を発揮する形状・使用枚数とし（図９）、またヒップ周囲に、パッチ部分は当たるが、ヒップ自体には、パッチが当たらず、パッチから解放状態となる形状（図８・図９）のガードル。
【請求項４】
請求項１乃至３記載のガードルにおいて、ヒップ本体部分には、バンデージ・パッチは当たらず（図８・図９）、解放状態とする場合、ガードル本体のヒップ部分を襞状態とし（図２・図４）、さらに、当該ヒップ部分に、１本もしくは数本の細いゴム紐ないし伸縮性に富む素材を、上下方向に縫合し（図２・図４）、ガードル本体の素材以上に伸縮性を具有させることを特徴とする、ガードル。
【請求項５】
請求項１乃至４記載のガードルにおいて、腹部前面中央部で、略菱形部分のパッチ（図３・図６−２ａ＋２ｂ）を二重にせずシングルとして、本体生地とシングルパッチ生地の二重構造として、腹部前面の巻き上げ圧力を、軽減することを特徴とするガードル。
【請求項６】
請求項１乃至５記載のガードルのごとく、下半身部（下腹部・ヒップ・大腿部等）の下垂贅肉を、バンデージ・パッチ方式の「当て布」縫合により、左右両大腿部内側から、大腿部外側・ヒップ・下腹部と経由して、下部から上方部へ、螺旋状巻き上げ圧迫効果で巻き上げる、下半身部体型補整の方法。
【発明の詳細な説明】
【０００１】
【発明の属する技術分野】
本発明は、女性用下着の一種であるガードルに関するものであり、特に、ガードルの裏側部分、または表側部分に、各バンデージ〈ｂａｎｄａｇｅ〉方式パッチ＜ｐａｔｃｈ〉を縫合し、同パッチによる大腿部・ヒップ・腹部の下垂贅肉を巻き上げる効果により、下半身部の全体的体型補整を計る衣料に関するものである。
【０００２】
【従来の技術】
従来から、ガードルは、ショート・ガードル、ロング・ガードル共に、ウエストニッパ等と同様、体型補整機能を付与して使用される、女性用下着である。
そして、特にガードルにおいては、体型補整のため、贅肉を押さえ込んで、ボディラインを補整したい部分に、適宜「弾力性ある当て布」を、ガードル本体生地の裏側または表側から当てがうことが、最も一般的に行われている。
【０００３】
そして、上記「当て布」は、従前例によると、贅肉を押さえ込む部分に、局部的「当て布」を使用することが、一般的に行われてきている（図１２乃至図１６）。
しかし、この様な従前例の「当て布」方式によると、限定された局部的部分の体型補整に終わり、例えばガードルの場合、下半身部（下腹部・ヒップ・大腿部等）の全体的な体型補整の効果は、期待できない点に欠点があった。
【０００４】
しかも、従前例による「局部的当て布」方式によると、当該「当て布」によって、贅肉は、主として上部から圧迫されるため、それが「当て布」の両側へ逃げることによる、体型補整が行われるのみとなる。
この点でも、体型補整効果は、不充分となる。
【０００５】
【発明が解決しようとする課題】
従前例によるガードルにおいては、体型補整機能を付与するため、贅肉を押さえ込む「弾力性ある当て布」を使用するが、その使用箇所は、ボディラインを補整したい限定的な局部に、ガードル本体生地の裏側または表側から、「当て布」を縫合する方法で行われるのが、一般的である（図１２乃至１６）。
【０００６】
この様な、「局部的当て布」方式によると、当該「当て布」によって、贅肉は、上部から圧迫されるため、「当て布」の両側に移動することにより、局部的な体型補整は行われるが、その効力は不充分なものとなる。
【０００７】
また、上記「局部的当て布」方式によると、限定された局部的な体型補整が行われるだけで、下半身部（下腹部・ヒップ・大腿部等）の全体的な体型補整の効果は生じない欠点がある。
【０００８】
本発明は、従前例による「局部的当て布」方式の欠陥を解決し、ガードルにおいて、下半身部（下腹部・ヒップ・大腿部等）の全体的な体型補整の効果が、格段に増進される。
【０００９】
先ず、本発明ガードルは、従前例による「局部的当て布」方式と異なり、バンデージ〈ｂａｎｄａｇｅ〉方式パッチ〈ｐａｔｃｈ〉＝（図１１）を、ガードルの左右両筒形部分本体に、裏側または表側から、略Ｓ字型に縫合する（図３・図４）。
同バンデージ・パッチは、右足側と左足側が対称型であり、略Ｓ字型形状のパッチ（図３・図４）である。
【００１０】
そして、同バンデージ・パッチは、左右両大腿部内側から始まり（図１・図２−２ａ・２ｂ）、両大腿部外側へ螺旋状に巻き上がり、更に、腹部前面中央部方向へ、螺旋状に巻き上がり、同腹部前面中央で、左右両パッチが交叉した後、更に左右脇腹部分まで、螺旋状に巻き上がり、そして背面中央部まで廻り込んで、左右両パッチが結合する。
【００１１】
本発明ガードルは、ガードルにおいて、下垂贅肉の螺旋式巻き上げ効果が顕著であり、下半身部（下腹部・ヒップ・大腿部等）の全体的な体型補整に著しく役立つものである。
【００１２】
【課題を解決するための手段】
請求項１記載のガードル本体の、裏側部分または表側部分で、左右両筒形部分に、各バンデージ〈ｂａｎｄａｇｅ〉方式パッチ〈ｐａｔｃｈ〉＝（図１１）を、螺旋状の巻き上がり方式で、各膝上部分から、腰廻り部分までの間に縫合する。
【００１３】
同パッチの形状は、略Ｓ字型であり  （図１１）、右足側と左足側が、対称型となっている。
ガードル本体およびパッチの生地は、いずれも、一定の弾力性あることが望ましい。
【００１４】
請求項２記載のガードルは、請求項１記載のガードルにおいて、特に、同ガードル本体生地およびバンデージ・パッチの生地が、それぞれ、伸縮性に富んだ生地（例えば、パワーネット・その他）を使用することにより、大腿部・腹部・ヒップの各贅肉巻き上げの効果を、増大させるものである。
【００１５】
バンデージ・パッチによる螺旋方式巻き上げ効果としては、同パッチにより、下垂贅肉は、上方に移動する外、パッチの両側へも若干移動する効果があり、この三方向への贅肉拡散の結果、体型補整が均分化さてたものとなり、下半身部ボディラインが、全体的に自然体に近い線を生ずることとなる。
【００１６】
請求項３記載のガードルは、請求項１と請求項２の場合と同様、略Ｓ字型バンデージ・パッチ（図１１）を使用する場合の外、別に同パッチの長さ・幅員・形状・使用枚数を、贅肉の巻き上げ効果を増加させたい部分に対応させ、任意の寸法・形状・使用枚数を採用する場合にも、ヒップの下部は、下垂贅肉を下支えする効果を発揮するよう、凹型に湾曲したカーブ状にパッチを裁断して、ガードル本体に縫合させる。
【００１７】
また、ヒップの両側・上部にかけても、そのヒップ周辺の外縁部を、バンデージ・パッチで、囲む様にガードル本体へ縫合させる。
【００１８】
つまり、ヒップ周囲の外縁部は、バンデージ・パッチで囲まれるが、ヒップ自体は、バンデージ・パッチでカバーされることなく、解放状態となり、ヒップは、ガードル本体とのみ接触することとなる（図８・図９）。
【００１９】
請求項４記載のガードルは、請求項１乃至請求項３記載のガードルにおいて、
【００１６】乃至
【００１８】のとおり、ヒップ自体を、バンデージ・パッチでカバーすることなく、解放状態となし、ヒップは、ガードル本体とのみ接触させる。
しかも、ヒップが、ガードル本体と接触する部分は、ガードル本体を襞状態とする。
【００２０】
この襞状態は、本ガードルにおいて、左右両側のバンデージ・パッチで、螺旋方式により巻き上げてきた下垂贅肉の内、ヒップ部分に集約されてきた贅肉を、吸収する効果を果すこととなる。
【００２１】
そして、上記ガードルのヒップ襞部分には、１本もしくは数本の細いゴム紐ないし伸縮性に富む素材を、上下方向へガードル本体に縫合させ、襞状態の伸縮をサポートし、さらに、ヒップアップ効果を助長する。
【００２２】
請求項５記載のガードルは、請求項１乃至請求項４記載のガードルにおいて、腹部前面中央部にある略菱形部分のパッチを、左右両側から巻き上げてきたバンデージ・パッチが、同菱形部分で交叉し、同パッチが、過度の多重構造となることを回避するため、同交叉部分のバンデージ・パッチ使用枚数を調整する。
【００２３】
従って、上記ガードルの腹部前面中央部の略菱形部分は、結果、ガードル本体とバンデージ・パッチを併せて、多重構造となる。
但し、上記略菱形部分の多重構造の場合、バンデージ・パッチ使用枚数を調整することにより、前腹部に対するガードルの巻き上げ圧迫効果を軽減し、ガードル使用者にとって、ガードル着用を快適なものとするよう調整する。
【００２４】
【発明の実施の形態】
本発明にかかるバンデージ・パッチ付ガードルの実施形態について、図面を参照して説明する。
図１は、本発明ガードルの製品を展開したガードル本体表側＝前部（正面）の図である。
図３は、図１のガードル本体を裏返した状態における裏側＝前部（正面）の図である。
図３中の斜線部分は、バンデージ・パッチをガードルに縫合した状態を示す図となっている。
【００２５】
図１１は、本実施例において、ガードル本体に縫合されているバンデージ・パッチ１対（右側半分と左側半分の１対）を示す図である。
本発明のガードル本体は、伸縮性ある布（例えば、パワーネット・その他）の素材により製造されているが、同本体に縫合されるバンデージ・パッチの素材も、ガードル本体同様、伸縮性ある布（例えば、パワーネット・その他）の素材を使用するものである。
【００２６】
図１１において、例えば、右側２ａのパッチを、図１１（Ａ−Ｂ−Ｃ−Ｄ）のごとき形状に裁断する。
ただし、この際、ガードル本体に縫合する時の縫製作業の便宜上、パッチを、例えば（Ａ−Ｂ−Ｃ−Ｄ）等のごとく、区分切断して、各区分ごとに、ガードル本体に縫合することも自由である。
この様な区分切断による縫合の場合も、例えば（Ａ−Ｂ−Ｃ−Ｄ）の各区分は、結局、縫合作業の過程で連結され、１枚布の状態と同一の仕上がりとなり、「巻き上げ効果」としては、１枚布の状態での縫合と区分縫合との間に、差異は生じない。
左側２ｂパッチの場合も、右側２ａの場合と同様である。
【００２７】
なお、図１１のバンデージ・パッチ図の内、右側２ａ−（Ａ）・左側２ｂ−（Ａ’）の部分は、各右膝上部分・左膝上部分で、かつ、各左右大腿部内側部分のガードル本体に縫合される（図１・図３で、中央下部２ａ・２ｂ部分）。
【００２８】
図１１のバンデージ・パッチ図の内、右側２ａ−（Ｂ）・左側２ｂ−（Ｂ’）の部分は、各左右ヒップ部分および大腿部外側部分のガードル本体に縫合される（図２・図４の下部２ａ・２ｂと、図１・図４の左右両側部分２ａ・２ｂの一部）。
【００２９】
図１１のバンデージ・パッチ図の内、右側２ａ−（Ｃ）・左側２ｂ−（Ｃ’）の部分は、左右各大腿部の一部と、腹部前面中央部のガードル本体に縫合される（図１・図３で、側中央部乃至腹部前面中央部、２ａ・２ｂ・２ａ＋２ｂ）。
【００３０】
図１１のバンデージ・パッチ図の内、右側２ａ−（Ｄ）・左側２ｂ−（Ｄ’）の部分は、背面中央部のガードル本体に縫合される（図４で、背面中央部〈腰廻り〉２ａ・２ｂ）。
【００３１】
図２は、本発明ガードルの製品を展開した、ガードル本体表側＝後部（背面）図である。
本図において、ヒップ部分は、襞状態となっており、ヒップ部分には、３本のゴム紐が、上下方向に縫合されている。
図４は、図１のガードル本体を裏返した状態における、裏側＝後部図である。
図４中の斜線部分は、バンデージ・パッチを、ガードル本体に縫合した状態を示す図となっている。
【００３２】
ヒップ部分は、襞状態となっており、ヒップ部分は、３本のゴム紐が上下方向に縫合されている。
なお、ヒップ本体とガードル本体が接触する部分は、バンデージ・パッチが縫合されておらず、ガードル本体の襞状態とゴム紐により、バンデージ・パッチで巻き上げられた余剰贅肉を吸収し、ヒップの形状を補整する効果を発揮する。
【００３３】
図５は、本発明ガードルの製品を展開した、ガードル本体表側＝左側面図である。
本図により、ガードル本体の裏側に縫合されているバンデージ・パッチの左側面における配置形状を、表側から透視したものである。
【００３４】
図６乃至図１０は、本発明ガードルを着用した状態を、ガードル表側から見た図面である。
ただ、本各着用図の場合、バンデージ・パッチ（図１１）の配置状態を、表側から透視した状態で、同パッチ部分を、斜線で表示したものである。
従って、同各図の斜線図は、図３・図４の場合の可視的斜線図とは、異なるものである。
図３・図４のパッチ部分斜線図は、ガードル本体を裏返して、パッチを表面に顕出し、可視状態におけるパッチの形状図である。
【００３５】
図６乃至図１０は、ガードル着用状態における、バンデージ・パッチを透視した状態での各配置状態を示すものである。
ただし、ガードル着用状態においては、バンデージ・パッチの形状・寸法は、図１乃至図５のガードル製品未着用状態の形状・寸法より、拡大・変形している。
つまり、バンデージ・パッチは、生地素材が伸縮性に富んだもの（パワーネット・その他）であるため、ガードル本体を着用された状態では、未使用状態より、形状・寸法が、拡大・変形したものとなる。
【００３６】
以上、要するに、本発明バンデージ・パッチ付ガードルは、ガードル本体の裏側に、左右両足の大腿部内側からスタートして、バンデージ・パッチ（図１１＝Ａ・Ａ’部分）を縫合し、さらにヒップ周囲・左右大腿部外側から腹部前面中央部を経由して、左右各脇腹部分から背面中央部に至るまで、バンデージ・パッチ（図１１＝Ｂ・Ｂ’−Ｃ・Ｃ’−Ｄ・Ｄ’）を、それぞれガードル本体に縫合した、女性用下着であって、下半身部の全体的体型補整を目的とする製品である。
【００３７】
なお、図１２乃至図１６は、従前例による、ガードルであって、いずれも、下半身部の限定的な局部のみに「当て布」を縫合して、局部的体型補整に効果を示す、ガードルとなっている。
【００３８】
【発明の効果】
以上説明したように、本発明バンデージ・パッチ付ガードルは、ガードル本体の裏側部分、または表側部分で、正面・背面左右両側部分に、各バンデージ・パッチを縫合するものである。
そのパッチは、左右両大腿部内側から始まり、両大腿部外側へ巻き上がり、更に、腹部前面中央部方向へ巻き上がり、同腹部前面中央部で、左右両パッチが交叉した後、更に、左右脇腹部分まで巻き上がり、そして背面中央部で、左右両パッチが結合する状態となっている、ガードルである。
【００３９】
伸縮性に富んだ素材生地のバンデージ・パッチによる圧着・巻き上げ効果のため、大腿部・ヒップ・下腹部等の下垂贅肉は、パッチの左・右・上方の三方向に拡散・均分化され、同各部の体型補整に著しい効果を示す。
その結果、下半身部の全体的なボディラインが、自然体に近くなり、美的効果を発揮する。
【００４０】
本発明バンデージ・パッチ付ガードルは、ショート・ガードル、またはロング・ガードルにおいて、著効を奏するものである。
バンデージ・パッチの巻き上げが、左右両大腿部の内側（下部）から、左右両大腿部外側（上部）に向かっての巻き上げがあるため、各ガードルにおいて、巻き上げ効果が大となるのである。
【００４１】
なお、本発明バンデージ・パッチ付ガードルによると、左右両大腿部の内側から外側へ、更に腹部前面中央部を経由して、両脇腹に至る、ロング・ストロークの巻き上げで、しかも、それが左右両側からの巻き上げ効果を発揮するため、下腹部の内臓も、適当の締め付け効果を受け、身の締まる爽快感を味わえる効果がある。
なお、本件発明バンデージ・パッチ付ガードルと共に、本発明者が別途特許出願中の、「ウエストニッパ（２０００年特許願第１２４９５０号）」を併用すると、全身的体型補整の効果は、より効果的となる。
【図面の簡単な説明】
【図１】本発明バンデージ・パッチ付ガードルの製品を展開した、ガードル本体、表側＝前部（正面）の図である。
【図２】本発明バンデージ・パッチ付ガードルの製品を展開した、ガードル本体、表側＝後部（背面）図である。
【図３】図１のガードル本体を裏返した状態における、裏側＝前部（正面）の図である。
【図４】本図は、図１のガードル本体を裏返した状態における、裏側＝後部図である。
【図５】本図は、本発明ガードルの製品を展開した、ガードル本体、表側＝左側面図である。
【図６】本図は、本発明ガードルを着用した状態を、ガードル表側から見た、立体・正面図である。
斜線部分は、バンデージ・パッチの配置状態を示す透視図である。
斜線部分は、図７乃至図１０も同様である。
【図７】本図は、本発明ガードルを着用した状態を、ガードル表側から見た、立体・前面斜視図である。
【図８】本図は、本発明ガードルを着用した状態で、ガードル表側から見た、立体・後部斜視図である。
【図９】本図は、本件発明ガードルを着用した状態で、ガードル表側から見た、立体・後部図である。
【図１０】本図は、本件発明ガードルを着用した状態で、ガードル表側から見た、立体・左側面図である。
【図１１】本図は、本実施例において、ガードル本体に縫合させている、バンデージ・パッチ左側・右側１対の形状を示す図である。
【図１２】本各図は、従前例による、ガードルの局部的当て布の配布状態を示す図である。
【図１３】本各図は、従前例による、ガードルの局部的当て布の配布状態を示す図である。
【図１４】本各図は、従前例による、ガードルの局部的当て布の配布状態を示す図である。
【図１５】本各図は、従前例による、ガードルの局部的当て布の配布状態を示す図である。
【図１６】本各図は、従前例による、ガードルの局部的当て布の配布状態を示す図である。
【符号の説明】
１ａ＝ガードル本体の右側部分
１ｂ＝ガードル本体の左側部分
２ａ＝バンデージ・パッチの右側部分
２ｂ＝バンデージ・パッチの左側部分
２ａ＋２ｂ＝バンデージ・パッチの右側部分と左側部分が交叉する部分
Ａ・Ｂ・Ｃ・Ｄ＝右側バンデージ・パッチの本実施例における、区分分割縫合部
Ａ’・Ｂ’・Ｃ’・Ｄ’＝左側バンデージ・パッチの本実施例における、区分分割縫合部
【図１】
2004169255.tif 000003
【図２】
2004169255.tif 000004
【図３】
2004169255.tif 000005
【図４】
2004169255.tif 000006
【図５】
2004169255.tif 000007
【図６】
2004169255.tif 000008
【図７】
2004169255.tif 000009
【図８】
2004169255.tif 000010
【図９】
2004169255.tif 000011
【図１０】
2004169255.tif 000012
【図１１】
2004169255.tif 000013
【図１２】
2004169255.tif 000014
【図１３】
2004169255.tif 000015
【図１４】
2004169255.tif 000016
【図１５】
2004169255.tif 000017
【図１６】
2004169255.tif 000018